(57)【要約】【課題】  ベローズの損傷を防止できるスチームトラップを提供する。【解決手段】  本体１と蓋部材５から成るケーシングで入口２と弁室４と出口３を形成する。導出路６を有する弁座部材７を弁室４と出口５との間に配置する。弁座部材７に対向して弁室４内に弁手段としての温度制御機素８を配置する。弁座部材７の温度制御機素８側にベローズ１６の一端を固着し、ベローズ１６の他端に環状の可動弁座１７をその軸方向に変位且つ傾斜自在に固着する。温度制御機素８が可動弁座１７に離着座することにより導出路６を開閉する。ベローズ１６の内部を可動弁座１７から弁座部材７に向かって伸び可動弁座１７が弁座部材７方向に所定量変位したときに弁座部材７に当接するストッパ部材２３を設ける。【選択図】      図１
2009222122.tif 000002
【特許請求の範囲】
【請求項１】
ケーシングで入口と弁室と出口を形成し、導出路を有する弁座部材を弁室と出口との間に配置し、弁座部材に対向して弁室内に弁手段を配置し、弁座部材の弁手段側にベローズの一端を固着し、ベローズの他端に環状の可動弁座をその軸方向に変位且つ傾斜自在に固着し、弁手段が可動弁座に離着座することにより導出路を開閉するものにおいて、ベローズの内部を可動弁座から弁座部材に向かって伸び可動弁座が弁座部材方向に所定量変位したときに弁座部材に当接するストッパ部材を設けたことを特徴とするスチームトラップ。
【発明の詳細な説明】
【技術分野】
【０００１】
本発明は、各種蒸気使用機器や蒸気配管で発生する復水を自動的に排出するスチームトラップに関し、特に、弁手段が導出路を完全閉止できるものに関するものである。
【背景技術】
【０００２】
弁手段が導出路を完全閉止できるスチームトラップが特開２００６−１７０３１９に示されている。ここに示されたものは、熱応動式スチームトラップであり、ケーシングで入口と弁室と出口を形成し、導出路を有する弁座部材を弁室と出口との間に配置し、弁座部材に対向して弁室内に弁手段としての温度制御機素を配置し、弁座部材の温度制御機素側にベローズの一端を固着し、ベローズの他端に環状の可動弁座をその軸方向に変位且つ傾斜自在に固着し、温度制御機素が可動弁座に離着座することにより導出路を開閉するものである。
【０００３】
上記従来のスチームトラップは、弁座部材の温度制御機素側にベローズの一端を固着し、ベローズの他端に環状の可動弁座をその軸方向に変位且つ傾斜自在に固着し、温度制御機素が可動弁座に離着座することにより導出路を開閉するものであるので、温度制御機素が傾いた状態で可動弁座に着座しても、可動弁座が温度制御機素に合せて必要ならば適当に傾斜することにより、温度制御機素と可動弁座が密着して導出路を完全閉止できるものである。しかしながら、上記従来のスチームトラップにおいては、配管系でウォータハンマ等が発生して温度制御機素が可動弁座に衝突するとベローズが異常収縮して損傷する問題点があった。また、流体中の異物がベローズの各板材間に挟み込まれてベローズが損傷する問題点があった。
【特許文献１】特開２００６−１７０３１９
【発明の開示】
【発明が解決しようとする課題】
【０００４】
解決しようとする課題は、ベローズの損傷を防止できるスチームトラップを提供することである。
【課題を解決するための手段】
【０００５】
本発明のスチームトラップは、ケーシングで入口と弁室と出口を形成し、導出路を有する弁座部材を弁室と出口との間に配置し、弁座部材に対向して弁室内に弁手段を配置し、弁座部材の弁手段側にベローズの一端を固着し、ベローズの他端に環状の可動弁座をその軸方向に変位且つ傾斜自在に固着し、弁手段が可動弁座に離着座することにより導出路を開閉するものにおいて、ベローズの内部を可動弁座から弁座部材に向かって伸び可動弁座が弁座部材方向に所定量変位したときに弁座部材に当接するストッパ部材を設けたことを特徴とする。
【発明の効果】
【０００６】
本発明は、ベローズの内部を可動弁座から弁座部材に向かって伸び可動弁座が弁座部材方向に所定量変位したときに弁座部材に当接するストッパ部材を設けたことにより、ベローズの損傷を防止でき、長期に渡って良好な復水排出機能を維持できるという優れた効果を生じる。
【発明を実施するための最良の形態】
【０００７】
本発明のスチームトラップは、ベローズの内部を可動弁座から弁座部材に向かって伸び可動弁座が弁座部材方向に所定量変位したときに弁座部材に当接するストッパ部材を設けたものである。そのため、配管系でウォータハンマ等が発生して弁手段が可動弁座に衝突すると、ベローズが所定量収縮したときにストッパ部材が弁座部材に当接し、ベローズの異常収縮を防止できるので、ベローズの損傷を防止できる。また、流体中の異物がベローズの各板材間に挟み込まれることをストッパ部材により防止できるので、ベローズの損傷を防止できる。
【実施例１】
【０００８】
上記の技術的手段の具体例を示す実施例を説明する（図１及び図２参照）。本実施例は熱応動式スチームトラップに適用したものである。本体１には同一軸上に入口２と出口３が形成され、この入口２及び出口３と連通する弁室４が本体１にねじ結合された蓋部材５によって形成される。本体１と蓋部材５でケーシングが形成される。出口３の弁室４側開口端に、弁室４と出口３とを連通する導出路６が形成された弁座部材７がねじ結合されている。弁座部材７の上方に、弁座部材７に離着座して導出路６を開閉する弁手段としての温度制御機素８が配置される。温度制御機素８は、注入口９を有する上壁部材１０と、注入口９を密封する栓部材１１と、上壁部材１０との間に膨脹媒体１２を密封するダイヤフラム部材１３と、ダイヤフラム部材１３の外周縁を上壁部材１０との間に挟んで溶接により固着する下壁部材１４と、ダイヤフラム部材１３の導出路６側に溶接により固着された弁部材１５から形成される。膨脹媒体１２は水よりも沸点の低いプロパノール等のアルコールあるいは水よりも沸点の低いアルコールの混合物あるいは水よりも沸点の低いアルコールと水との混合物から成る。弁座部材７の弁部材１５側には円筒形状のベローズ１６の一端（下端）が溶接により固着され、ベローズ１６の他端（上端）には環状の可動弁座１７がその軸方向に変位且つ傾斜自在に溶接により固着される。可動弁座１７の下面には円筒形状のストッパ部材２３が一体に設けられ、ストッパ部材２３には内外を連通する連通孔２４が設けられている。ストッパ部材２３はベローズ１６の内部を可動弁座１７から弁座部材７に向かって伸び可動弁座１７が弁座部材７方向に所定量変位したときに弁座部材７に当接する。膨張媒体１２の膨張収縮によるダイヤフラム部材１３の変位により弁部材１５を可動弁座１７に離着座させることにより、導出路６を開閉する。
【０００９】
温度制御機素８は、本体１と弁座部材７との間に挟んで固定された有底円筒形状の取付部材１８内に収容され、取付部材１８に固定されたスプリング１９の付勢力によって取付部材１８の段部２０に下壁部材１４の下面が当接保持される。取付部材１８には、底壁に流体通過孔２１と周壁に３つの流体通過窓２２が開けられている。
【００１０】
本実施例での作動は下記の通りである。始動時、弁室４内は低温であり、膨脹媒体１２は収縮し、入口２側の流体圧力によって弁部材１５とダイヤフラム部材１３が上方に変位し、弁部材１５が可動弁座１７から離座して導出路６を開口している。これによって入口２から流入する低温の復水や空気を可動弁座１７の内側の孔、ベローズ１６の内側のストッパ部材２３の内側の孔、導出路６を通して出口３へ排出する。低温流体の排出によって入口２から流入する流体温度が高くなってくると、膨脹媒体１２が膨脹して弁部材１５とダイヤフラム部材１３が入口２側の流体圧力に抗して下方に変位し、弁部材１５が可動弁座１７に近付き、弁部材１５が可動弁座１７に着座して導出路６を閉止する。これによって蒸気の漏出を防止する。放熱によって弁室４内の温度が低くなると、膨脹媒体１２が収縮して入口側の流体圧力によって弁部材１５とダイヤフラム部材１３が上方に変位し、弁部材１５が可動弁座１７から離座して導出路６を開口する。
【００１１】
弁部材１５が傾いた状態で可動弁座１７に着座しても、可動弁座１７が弁部材１５に合せて必要ならば適当に傾斜することにより、弁部材１５と可動弁座１７が密着して導出路６を完全閉止できる。配管系でウォータハンマ等が発生して弁部材１５が可動弁座１７に衝突すると、ベローズ１６が所定量収縮したときにストッパ部材２３が弁座部材７に当接し、ベローズ１６の異常収縮を防止できるので、ベローズ１６の損傷を防止できる。また、流体中の異物がベローズ１６の各板材間に挟み込まれることをストッパ部材２３により防止できるので、ベローズ１６の損傷を防止できる。
【００１２】
上記実施例では弁手段として温度制御機素を用いたものを例示したが、本発明は弁手段としてバイメタルやフロートやバケットを用いた他の形式のスチームトラップにも適用できるものである。
【図面の簡単な説明】
【００１３】
【図１】本発明の実施例の熱応動式スチームトラップの断面図。
【図２】本発明の実施例の熱応動式スチームトラップの弁座部材部分の拡大断面図。
【符号の説明】
【００１４】
１  本体
２  入口
３  出口
４  弁室
５  蓋部材
６  導出路
７  弁座部材
８  温度制御機素
１０  上壁部材
１２  膨張媒体
１３  ダイヤフラム部材
１４  下壁部材
１５  弁部材
１６  ベローズ
１７  可動弁座
２３  ストッパ部材
【図１】
2009222122.tif 000003
【図２】
2009222122.tif 000004